【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】
ワイヤレス通信システムにおいて、送信するアプリケーション・データを動的にフォーマットする方法であって：
前記アプリケーション・データを送信するために利用可能な少なくとも１つのワイヤレス・リンクの送信タイミングに影響を与えるデータ伝送機能に関する情報を収集し、前記情報は、前記少なくとも１つのワイヤレス・リンクの送信信頼性に関する信頼性情報を含む段階；
前記情報から、予め定められた時間までに、前記少なくとも１つのワイヤレス・リンクを介して完了できる最大データ量を計算する段階；
達成可能なときに、前記アプリケーション・データから、また前記アプリケーション・データに対して可能なユーザ・プレゼンテーション・フォーマットの予め定められたセットから、前記最大データ量を下回るデータ量しか必要としないユーザ・プレゼンテーション・フォーマットを決定する段階；
前記ユーザ・プレゼンテーション・フォーマットに従って、前記アプリケーション・データをフォーマットした後、前記アプリケーション・データを送信する段階；
前記送信信頼性を、ユーザにより指定された所望の送信信頼性と比較する段階；および
前記送信信頼性が、前記所望の送信信頼性を下回るときには、前記ユーザの前記アプリケーション・データの送信を延期し、前記送信は、前記送信信頼性が、前記所望の送信信頼性を下回らなくなるまで延期される段階；
によって構成されることを特徴とする方法。
【請求項２】
前記計算段階は、前記少なくとも１つのワイヤレス・リンクに対応するデータ・ユニット送信コストに従って、前記少なくとも１つのワイヤレス・リンクを介して、予め定められたコストを下回るコストで完了できる量に、前記最大データ量を制限する段階によって構成されることを特徴とする請求項１記載の方法。
【請求項３】
前記ユーザ・プレゼンテーション・フォーマットの予め定められたセットのうち、ユーザが受け入れ可能な被選択フォーマットを指定するユーザ・プロファイルにアクセスする段階によってさらに構成される請求項１記載の方法であって，
前記決定する段階は、前記アプリケーション・データから、また前記ユーザ・プレゼンテーション・フォーマットの予め定められたセットのうち前記選択されたものから、前記最大データ量を下回る量しか必要としない、前記ユーザが受け入れ可能な前記ユーザ・プレゼンテーション・フォーマットを決定する段階によって構成されることを特徴とする方法。
【請求項４】
ワイヤレス通信システムにおいて、送信するアプリケーション・データを動的にフォーマットするサーバであって：
前記ワイヤレス通信システムの一部との間でアプリケーション・データを通信するためのネットワーク・インタフェースであって、前記アプリケーション・データを送信するために利用可能な少なくとも１つのワイヤレス・リンクを介して、前記アプリケーション・データを送信するネットワーク・インタフェース；および
前記ネットワーク・インタフェースと結合されて、前記アプリケーション・データを処理するための処理システム；
によって構成され、
前記処理システムは：
前記少なくとも１つのワイヤレス・リンクの送信タイミングに影響を与えるデータ伝送機能に関する情報を収集し、前記情報は、前記少なくとも１つのワイヤレス・リンクの送信信頼性に関する信頼性情報を含み；
前記情報から、予め定められた時間までに、前記少なくとも１つのワイヤレス・リンクを介して完了できる最大データ量を計算し；
達成可能なときに、前記アプリケーション・データから、また前記アプリケーション・データに対して可能なユーザ・プレゼンテーション・フォーマットの予め定められたセットから、前記最大データ量を下回る量しか必要としないユーザ・プレゼンテーション・フォーマットを決定し；
前記ユーザ・プレゼンテーション・フォーマットに従って、前記アプリケーション・データをフォーマットした後、前記アプリケーション・データを送信し；
前記送信信頼性を、ユーザにより指定された所望の送信信頼性と比較し；かつ、
前記送信信頼性が前記所望の送信信頼性を下回るときに、前記ユーザの前記アプリケーション・データの送信を延期し、前記送信は、前記送信信頼性が、前記所望の送信信頼性を下回らなくなるまで延期されるように；
プログラミングされることを特徴とするサーバ。
【請求項５】
前記処理システムはさらに、前記少なくとも１つのワイヤレス・リンクに対応するデータ・ユニット送信コストに従って、予め定められたコストを下回るコストで、前記少なくとも１つのワイヤレス・リンクを介して完了できる量に、前記最大データ量を制限するようにプログラミングされることを特徴とする請求項４記載のサーバ。
【請求項６】
前記処理システムはさらに、前記ユーザ・プレゼンテーション・フォーマットの予め定められたセットのうちユーザが受け入れ可能な被選択フォーマットを指定するユーザ・プロファイルにアクセスし；かつ
前記アプリケーション・データから、また前記ユーザ・プレゼンテーション・フォーマットの予め定められたセットのうち前記選択されたものから、前記最大データ量を下回る量しか必要としない、前記ユーザが受け入れ可能な前記ユーザ・プレゼンテーション・フォーマットを決定するように；
プログラミングされることを特徴とする請求項４記載のサーバ。
【請求項７】
ワイヤレス通信システムにおいて、送信するアプリケーション・データを動的にフォーマットする加入者ユニットであって：
前記アプリケーション・データを送信するために利用可能な少なくとも１つのワイヤレス・リンクの送信タイミングに影響を与えるデータ伝送機能に関する情報を受信するための受信機；
前記受信機と結合され、前記情報を処理するための処理システム；および
前記処理システムと結合され、前記少なくとも１つのワイヤレス・リンクを介して、前記アプリケーション・データを送信するための送信機；
によって構成され、
前記処理システムは：
前記少なくとも１つのワイヤレス・リンクの送信信頼性に関する信頼性情報を含む前記情報を収集し；
前記情報から、予め定められた時間までに、前記少なくとも１つのワイヤレス・リンクを介して完了できる最大データ量を計算し；
達成可能なときに、前記アプリケーション・データから、また前記アプリケーション・データに対して可能なユーザ・プレゼンテーション・フォーマットの予め定められたセットから、前記最大データ量を下回る量しか必要としないユーザ・プレゼンテーション・フォーマットを決定し；
前記ユーザ・プレゼンテーション・フォーマットに従って、前記アプリケーション・データをフォーマットした後、前記アプリケーション・データを送信し；
前記送信信頼性を、ユーザにより指定された所望の送信信頼性と比較し；かつ
前記送信信頼性が前記所望の送信信頼性を下回るときには、前記ユーザの前記アプリケーション・データの送信を延期し、前記送信は、前記送信信頼性が、前記所望の送信信頼性を下回らなくなるまで延期されるように；
プログラミングされることを特徴とする加入者ユニット。
【請求項８】
前記処理システムはさらに、前記少なくとも１つのワイヤレス・リンクに対応するデータ・ユニット送信コストに従って、予め定められたコストを下回るコストで、前記少なくとも１つのワイヤレス・リンクを介して完了できる量に、前記最大データ量を制限するようにプログラミングされることを特徴とする請求項７記載の加入者ユニット。
【請求項９】
前記処理システムはさらに：
前記ユーザ・プレゼンテーション・フォーマットの予め定められたセットのうち、ユーザが受け入れ可能な被選択フォーマットを指定するユーザ・プロファイルにアクセスし；かつ
前記アプリケーション・データから、また前記ユーザ・プレゼンテーション・フォーマットの予め定められたセットのうち前記選択されたものから、前記最大データ量を下回る量しか必要としない、前記ユーザが受け入れ可能な前記ユーザ・プレゼンテーション・フォーマットを決定するように；
プログラミングされることを特徴とする請求項７記載の加入者ユニット。